(57)【要約】【課題】排水、脱水時に、電力消費を増加させず、排水ポンプの空転異音も防止すること。【解決手段】運転行程において、水槽１１の背面側下部に設けた取水口１７と排水ポンプ２０とを接続する接続ホース２１内を流れる排水の流量を、排水流量検知手段１８が検知し、その排水流量が、所定値以下になった場合に、排水ポンプ２０の駆動を一時停止し、排水流量が所定値以上になった場合に、再び排水ポンプ２０を駆動させる構成とすることにより、電力消費を増加させることなく、また、排水ポンプ２０の不快な空転異音の発生を防止することができる。【選択図】図２
2019068976.tif 000002
【特許請求の範囲】
【請求項１】
本体と、前記本体内に支持された水槽と、前記水槽内に回転自在に設けられ洗濯物を収容する内槽と、前記内槽を回転駆動するモータと、前記水槽内の水を、排水管を経由して機外高所へ排水する排水ポンプと、前記水槽内に給水する給水弁と、前記水槽内の水位を検知する水位検知手段と、前記水槽に設けた取水口と前記排水ポンプとを接続する接続ホースと、前記接続ホースを流れる排水の流量を検知する排水流量検知手段と、運転コースなどを入力設定する操作部と、膳操作部の設定などを表示する表示部と、前記モータ、排水ポンプ、給水弁等を制御して、洗い、すすぎ、脱水等の各行程を制御する制御部とを備え、前記制御部は、排水、脱水行程において、前記排水流量検知手段が検知する排水流量が、所定値以下になった場合に、前記排水ポンプの駆動を一時停止し、前記排水流量が所定値以上になった場合に、再び前記排水ポンプを駆動させる洗濯機。
【請求項２】
前記制御部は、排水流量検知手段が検知する排水の流量が所定量以下になった場合には、ドラム駆動手段および排水手段を停止する請求項１記載の洗濯機。
【請求項３】
前記制御部は、排水流量検知手段が検知する排水の流量が所定量以下になった場合には、排水ポンプを間欠動作させる請求項１記載の洗濯機。
【請求項４】
前記制御部は、排水流量検知手段が検知する排水の流量が所定量以下になった場合には、排水ポンプの間欠動作のＯＦＦ間隔を長くする請求項３記載の洗濯機。
【発明の詳細な説明】
【技術分野】
【０００１】
本発明は、洗濯槽から排出される排水を高所に排出する排水ポンプを備えた洗濯機に関する。
【背景技術】
【０００２】
近年、排水位置を高所に設定したいという要望に応えるために、排水ポンプを備えた洗濯機が開発されている（例えば、特許文献１参照）。
【０００３】
従来の洗濯機は、洗濯物を収容する内槽と、前記内槽を内包する水槽と、前記水槽の下方に設けられた排水ポンプと、前記排水ポンプに連接された排水経路とを備えている。
【先行技術文献】
【特許文献】
【０００４】
【特許文献１】特開２０００−１４９６４号公報
【発明の概要】
【発明が解決しようとする課題】
【０００５】
しかしながら、前記従来の構成においては、洗濯機の水槽に設けられた水位検知手段により水位が一定水位以下まで低下したことを検出して排水が完了したと判断し、排水ポンプを停止するが、排水ポンプを停止した後からも、衣類から排水され、水槽内に溜まる。
【０００６】
洗濯の次行程、または、次回の洗濯時に、溜まった排水が、内槽の回転の抵抗となり、消費電力が大きくなる問題がある。
【０００７】
この問題を解決するために、水位が一定水位を下回ったことを確認した後も、衣類からの排水が完了するのに充分な時間、排水ポンプを動作させ続けることが考えられる。
【０００８】
しかしながら、衣類量や質により衣類から滴出される水が少ない場合には、排水ポンプを不必要に動作させることになり、排水ポンプの空転による騒音の発生及び電力消費の増大が生じる。
【０００９】
本発明は、前記従来の課題を解決するもので、排水時の不要な空転異音、及び電力消費の増加を抑制しえる洗濯機を提供することを目的とする。
【課題を解決するための手段】
【００１０】
前記従来の課題を解決するために、本体と、前記本体内に支持された水槽と、前記水槽内に回転自在に設けられ洗濯物を収容する内槽と、前記内槽を回転駆動するモータと、前記水槽内の水を、排水管を経由して機外高所へ排水する排水ポンプと、前記水槽内に給水する給水弁と、前記水槽内の水位を検知する水位検知手段と、前記水槽に設けた取水口と前記排水ポンプとを接続する接続ホースと、前記接続ホースを流れる排水の流量を検知する排水流量検知手段と、運転コースなどを入力設定する操作部と、膳操作部の設定などを表示する表示部と、前記モータ、排水ポンプ、給水弁等を制御して、洗い、すすぎ、脱水等の各行程を制御する制御部とを備え、前記制御部は、排水、脱水行程において、前記排水流量検知手段が検知する排水流量が、所定値以下になった場合に、前記排水ポンプの駆動を一時停止し、前記排水流量が所定値以上になった場合に、再び前記排水ポンプを駆動させるものである。
【００１１】
これによって、排水、脱水行程において、電力消費を増加させることなく、また、排水ポンプの不快な空転異音の発生を防止することができる。
【発明の効果】
【００１２】
本発明によれば、排水ポンプの空転を防ぐことが可能になり、排水ポンプの空転による騒音、電力消費及び洗濯水によるドラム回転時の電力消費増大を減少させることができる。
【図面の簡単な説明】
【００１３】
【図１】本発明の実施の形態における洗濯機の外観斜視図
【図２】同洗濯機の概略縦断面図
【図３】同洗濯機のブロック回路図
【図４】同洗濯機の制御フローチャート
【図５】従来の洗濯機の縦断面図
【発明を実施するための形態】
【００１４】
第１の発明は、本体と、前記本体内に支持された水槽と、前記水槽内に回転自在に設けられ洗濯物を収容する内槽と、前記内槽を回転駆動するモータと、前記水槽内の水を、排水管を経由して機外高所へ排水する排水ポンプと、前記水槽内に給水する給水弁と、前記水槽内の水位を検知する水位検知手段と、前記水槽に設けた取水口と前記排水ポンプとを接続する接続ホースと、前記接続ホースを流れる排水の流量を検知する排水流量検知手段と、運転コースなどを入力設定する操作部と、膳操作部の設定などを表示する表示部と、前記モータ、排水ポンプ、給水弁等を制御して、洗い、すすぎ、脱水等の各行程を制御する制御部とを備え、前記制御部は、排水、脱水行程において、前記排水流量検知手段が検知する排水流量が、所定値以下になった場合に、前記排水ポンプの駆動を一時停止し、前記排水流量が所定値以上になった場合に、再び前記排水ポンプを駆動させるものである。
【００１５】
これにより、排水、脱水行程において、電力消費を増加させることなく、また、排水ポンプの不快な空転異音の発生を防止することができる。
【００１６】
第２の発明は、特に、第１の発明の制御部は、排水流量検知手段が検知する排水の流量が所定量以下になった場合には、ドラム駆動手段および排水手段を停止するものである。
【００１７】
第３の発明は、特に、第１の発明の制御部は、排水流量検知手段が検知する排水の流量が所定量以下になった場合には、排水ポンプを間欠動作させるものである。
【００１８】
第４の発明は、特に、第３の発明の制御部は、排水流量検知手段が検知する排水の流量が所定量以下になった場合には、排水ポンプの間欠動作のＯＦＦ間隔を長くするものである。
【００１９】
以下、本発明の実施の形態について、図面を参照しながら説明する。なお、この実施の形態によって本発明が限定されるものではない。
【００２０】
図１は、本発明の実施の形態における洗濯機の外観斜視図、図２は、同概略縦断面図、図３は、同ブロック図である。
【００２１】
図１〜図３において、略箱状の本体１内には、水槽１１が配設され、水槽１１は、下方のダンパー１５と上方のばね体１６により揺動自在に防振支持されている。水槽１１内には、衣類を収容する内槽である回転ドラム１０が回転自在に内包されている。
【００２２】
回転ドラム１０の外周壁は、通水孔１４が設けられ、通水孔１４は、水槽１１内の洗濯水が回転ドラム１０の内外に通過できるようになっている。また、回転ドラム１０の内壁面には、衣類攪拌用の突起部１３が複数設けられている。
【００２３】
モータ１２は、水槽１１の背面側に取り付けており、水槽１１内の回転ドラム１０を正転、逆転方向に回転駆動する。モータ１２には、モータ１２の回転数を検知することにより回転ドラム１０の回転を検知する回転数検知手段３５が設けられると共に、モータ１２の回転トルクを検知するモータトルク検知手段４５が設けられている。
【００２４】
水槽１１には、水槽１１に生ずる加速度とその向きを検知する水槽振動検知手段３６が設けられている。
【００２５】
本体１前面には、水槽１１内に連通する投入口７が設けられており、投入口７は、本体１の正面側に配設された扉体３により開閉自在に閉塞される。扉体３を開放することにより、投入口７より回転ドラム１０内に衣類等の出し入れを行うようになっている。投入口７と水槽１１との間には、環状パッキン８が配設されており、衣類が挟まったり、水が漏れるのを防止している。
【００２６】
本体１の前面上部には、操作部４と、操作部４に隣接して表示部５が配設されている。操作部４を操作することにより本体１への電源の投入、洗いやすすぎなどの各種洗濯コースを選択できる。操作部４の選択結果や選択した洗濯コースが完了するまでの時間情報、各種洗濯行程進行状況、洗濯完了情報等は、表示部５に表示して使用者に知らせる。
【００２７】
水槽１１の上部側には、洗剤を収容するための洗剤収容部２６が本体１前面側から引き出し自在に配設されている。洗剤収容部２６は、液体仕上剤投入部４３を有する洗剤収容容器６と、給水弁２５と接続された給水部材３０と、給水弁２５からの給水を洗剤収容容器６に供給する送水部材３１とにより構成されている。給水弁２５は、本体１の上面に一部が露出しており、図示しない給水ホースで水道蛇口と接続される。
【００２８】
運転時には、洗剤収容容器６を引き出して洗剤を必要量だけ投入する。運転を開始すると、給水弁２５から給水部材３０、送水部材３１を経由して水が供給され、水が洗剤と混合されて水槽１１内へ供給される。
【００２９】
また、給水部材３０には、給水弁２５からの給水流量を検知する給水流量検知手段４４が設けられている。
【００３０】
水槽１１の背面側の下部には、取水口１７が設けられており、取水口１７は、接続ホース２１を介して排水ポンプ２０に接続されている。水槽１１内の洗濯水は、排水ポンプ２０の動作により、排水管１９を介して外部の高所に排水される。
【００３１】
接続ホース２１には、接続ホース２１を流れる排水流量を検知する排水流量検知手段１８が設けられ、排水ポンプ２０には、排水ポンプ２０の振動を検知する排水振動検知手段４６が設けられている。
【００３２】
本体１内の上部には、プリント基板から構成され制御回路を有する制御部２７が配設されており、操作部４からの各入力情報を基に、モータ１２、給水弁２５、排水ポンプ２０などの動作を制御し、洗い、すすぎ、脱水などの各行程を逐次制御する。
【００３３】
図３において、電源スイッチ３３は、商用電源から本体１に供給される電力をＯＮ／ＯＦＦするものであり、使用者により手動操作される。
【００３４】
水位検知手段３４は、水槽１１内の水位を検知するものであり、布量検知手段３７は、回転ドラム１０内に投入された洗濯物の布量を検知するものである。
【００３５】
また、制御部２７は、計時手段４７を制御することによって、任意の時点からの経過時間を計測することができる。
【００３６】
記憶手段４８は、各種の設定内容や検知、測定結果を記憶することができる。
【００３７】
報知手段４９は、使用者の操作時の受付音報知や異常時に報知するものである。
【００３８】
以上のように構成された洗濯機について、以下、その動作、作用を説明する。
【００３９】
図４は、本発明の実施の形態における洗濯機の制御フローチャートである。なお、このフローチャートは、洗い行程、すすぎ行程の後に行われる排水及び中間脱水行程の動作制御を主体に記載している。
【００４０】
図４において、洗い行程が終了すると、水槽１１内の洗濯水を排水し、洗濯物に含まれた洗濯水を除去するための排水及び中間脱水行程がスタートする。
【００４１】
排水及び中間脱水行程がスタートすると、排水ポンプ２０が動作（ステップＳ１）し、排水管１９を介して機外高所への排水を開始する。この時、排水流量検知手段１８は、接続ホース２１を流れる排水流量を検知（ステップＳ２）し、検知した排水流量は、記憶手段４８に記憶する。
【００４２】
排水が始まり、所定時間が経過する（ステップＳ３のＹＥＳ）と、モータ１２が駆動して回転ドラム１０が回転し、脱水が始まる（ステップＳ４）。
【００４３】
排水流量検知手段１８が検知する排水流量が所定値を下回った場合（ステップＳ５のＹＥＳ）には、排水ポンプ２０の動作を一時停止する（ステップＳ６）。
【００４４】
回転ドラム１０は、排水ポンプ２０の一時停止中も回転を継続して、排水ポンプ２０に向かって洗濯水が流れており、再び排水流量検知手段１８が検知する排水流量が所定値を上回る（ステップＳ７のＹＥＳ）と、再度、排水ポンプ２０が動作して（ステップＳ８）、排水を再開する。
【００４５】
以上の排水、一時停止、排水を繰り返して、排水流量検知手段１８が検知する排水流量が所定値を上回らず（ステップＳ７のＮＯ）、所定時間が経過した場合（ステップＳ１２のＹＥＳ）には、モータ１２と排水ポンプ２０の動作を停止して（ステップＳ１３）、排水及び中間脱水行程が終了（ステップＳ１４）し、次行程へ移行する。
【００４６】
ステップＳ５で、排水流量検知手段１８が検知する排水流量が所定値を下回らず（ステップＳ５のＮＯ）、水槽１１内の水位を常に検知している水位検知手段３４が検知する水位の低下速度が所定値以下の場合（ステップＳ９のＹＥＳ）には、排水経路に何らかの異常が発生していると判断して、モータ１２と排水ポンプ２０の動作を停止して（ステップＳ１０）、報知手段４９にて表示部５に異常を報知する（ステップＳ１１）。
【００４７】
なお、ここでは、洗い行程の後の排水及び脱水行程について述べたが、すすぎ行程の後の排水及び脱水行程についても同様の制御が行われる。
【００４８】
また、本実施の形態は、ドラム式洗濯機を例にとり説明したが、縦型洗濯機に採用してもよく、洗濯乾燥機に採用することもできる。
【００４９】
以上のように、本実施の形態においては、排水、脱水行程において、排水流量検知手段１８が検知する排水流量が、所定値以下になった場合に、排水ポンプ２０の駆動を一時停止し、排水流量が所定値以上になった場合に、再び排水ポンプ２０を駆動させる構成とすることにより、電力消費を増加させることなく、また、排水ポンプ２０の不快な空転異音の発生を防止することができる。
【００５０】
また、排水、脱水行程において、排水流量検知手段１８が検知する排水流量が所定値以下であり、その所定値以下の時間が所定時間を越えた場合に、モータ１２および排水ポンプ２０の駆動を停止して排水、脱水行程を終了する構成とすることにより、電力消費を増加させることなく、また、排水ポンプ２０の不快な空転異音の発生を防止することができる。
【産業上の利用可能性】
【００５１】
以上のように、本発明に係る洗濯機は、排水流量検知手段を設けて排水、脱水を制御することにより、電力消費を増加させることなく、排水ポンプの不快な空転異音を発生させないことが実現できるので、縦型など他の洗濯機の用途に適用できる。
【符号の説明】
【００５２】
１  本体
４  操作部
５  表示部
１０  回転ドラム
１１  水槽
１２  モータ
１７  取水口
１８  排水流量検知手段
１９  排水管
２０  排水ポンプ
２１  接続ホース
２５  給水弁
２７  制御部
３４  水位検知手段
【図１】
2019068976.tif 000003
【図２】
2019068976.tif 000004
【図３】
2019068976.tif 000005
【図４】
2019068976.tif 000006
【図５】
2019068976.tif 000007